(57)【要約】【課題】ダビング１０方式のような複数回のコピーが可能な方式において意図されている著作権保護を十分に図りつつ、宅外機器への番組の配信／録画を可能とする番組録画装置を提供する。【解決手段】ダビング１０方式のような複数回のコピーが可能な方式対応のコンテンツの配信先が宅外機器か宅内機器かを判別し、配信先が宅外機器の場合は、該番組にコンテンツＩＤを付与して宅外機器にダビングしたことを管理するとともに、見かけ上該番組のコピー可能な残回数を０（ゼロ）にして該番組を他の外部機器へダビングすることができないようにし、宅外機器から管理しているコンテンツＩＤの番組が削除あるいは使用不能状態に処理されたことを確認すると、コピー可能な残回数を元の残回数に、あるいは元の残回数より少なくとも１回数減じた残回数に戻すように番組録画装置を構成する。【選択図】図１
2009295213.tif 000002
【特許請求の範囲】
【請求項１】
放送局から配信された複数回のコピーが可能な方式に対応した番組を蓄積し、前記番組をネットワークに接続された他の機器あるいはメディアにコピーすることが可能な番組録画装置であって、
放送局から配信された前記番組を蓄積する番組蓄積手段と、
前記番組を前記他の機器あるいはメディアにコピーした回数に関する情報であるコピー情報に相当するコピー残回数（残っているコピー可能な回数）と、前記番組を一意に規定できる番組識別情報とをペアーにして管理し、前記番組を前記他の機器あるいはメディアにコピーすることが可能か否かを判定する第一コピー情報管理手段と、
前記番組のコピー先が前記ネットワークを介して宅外ネットワークに接続された機器である宅外機器か、前記ネットワークを介して接続された、前記宅外機器以外の機器である宅内機器か、またはメディアであるかを判定するコピー先情報管理手段と、
前記番組蓄積手段に蓄積された前記番組を前記他の機器あるいはメディアにコピーする際に、前記コピー先情報管理手段が管理している前記コピー残回数の値が予め定められた値以上である場合にのみ、前記番組を前記宅外機器にコピーするとともに、前記コピー残回数を０（ゼロ）とするように制御するコピー制御手段と、
を備えることを特徴とする番組録画装置。
【請求項２】
前記コピー制御手段は、前記番組を前記宅外機器にコピーした場合に、前記第一コピー情報管理手段において管理している前記コピー残回数の値を維持もしくは少なくとも１減じることで、前記宅内機器へのコピーを前記コピー残回数に基づいて認めるとともに、前記宅外機器には以降のコピーを認めないように制御することを特徴とする請求項１記載の番組録画装置。
【請求項３】
放送局から配信された複数回のコピーが可能な方式に対応した番組を蓄積し、前記番組をネットワークに接続された他の機器あるいはメディアにコピーすることが可能な番組録画装置であって、
放送局から配信された前記番組を蓄積する番組蓄積手段と、
前記番組を前記他の機器あるいはメディアにコピーした回数に関する情報であるコピー情報に相当するコピー残回数（残っているコピー可能な回数）と、前記番組を一意に規定できる番組識別情報とをペアーにして管理し、前記番組を前記他の機器あるいはメディアにコピーすることが可能か否かを判定する第一コピー情報管理手段と、
前記番組のコピー先が前記ネットワークを介して宅外ネットワークに接続された機器である宅外機器か、前記ネットワークを介して接続された、前記宅外機器以外の機器である宅内機器か、または前記メディアであるかを判定するとともに、前記番組のコピー先が前記宅外機器の場合には、前記宅外機器にコピーした番組にコンテンツＩＤ（ＩＤｅｎｔｉｆｉｃａｔｉｏｎ）を付与するコピー先情報管理手段と、
前記第一コピー情報管理手段から受け取った前記コピー情報と前記番組識別情報とのペアーの情報、および前記コピー先情報管理手段から受け取った前記宅外機器にコピーした番組の前記コンテンツＩＤと前記番組識別情報とのペアーの情報とを管理する第二コピー情報管理手段と、
前記他の機器あるいはメディアである外部機器からの読み込み機能のみを有し、前記外部機器と前記ネットワークなどを介さず直接接続を行う外部機器接続手段と、
前記番組蓄積手段に蓄積された前記番組を前記他の機器あるいはメディアにコピーする際に、前記コピー先情報管理手段が前記番組のコピー先が前記宅外機器であると判定した場合には、前記第一コピー情報管理手段が管理している前記コピー残回数の値が予め定められた値以上である場合にのみ、前記番組を前記宅外機器にコピーするとともに、前記第一コピー情報管理手段が管理している前記コピー残回数の値と前記番組識別情報をペアーにして前記第二コピー情報管理手段に移動させた後前記コピー残回数の値を０（ゼロ）にし、
前記外部機器接続手段または前記ネットワークを介して接続された前記宅外機器または前記宅外機器以外の前記宅内機器または前記メディアなどからの入力コンテンツが有する前記コンテンツＩＤが、前記コピー先情報管理手段で管理されている前記コンテンツＩＤと一致し、かつ、前記コンテンツＩＤが一致した番組が前記宅外機器において削除または使用不能な状態になったことを確認した後、前記第二コピー情報管理手段において管理されていた前記コンテンツＩＤが一致した番組の前記コピー残回数の値と前記番組識別情報とのペアー情報を、元のまま、あるいは前記コピー残回数の値を元の値から少なくとも１減じた値にして前記第一コピー情報管理手段に戻すとともに、前記第二コピー情報管理手段において管理していた前記コンテンツＩＤが一致した番組の前記コピー残回数の値と前記番組識別情報のペアー情報を削除するように制御するコピー制御手段と、
を備えたことを特徴とする番組録画装置。
【請求項４】
前記番組蓄積手段に蓄積された番組を前記宅外機器にコピーした場合に、コピー終了時点からの経過時間をコピーされた番組の前記番組識別情報とともに管理するコピー時刻管理手段をさらに備え、
前記コピー制御手段は、さらに、前記コピー終了時点からの経過時間を基にして、前記コピー終了時点から予め定めた一定時間が経過する毎に、前記第二コピー情報管理手段において管理されている前記コピーされた番組の前記コピー残回数の値を予め定めた値だけ順次減じていく、あるいは前記ダビング終了時点から予め定めた一定時間が経過すると前記第二コピー情報管理手段において管理されている前記コピーされた番組の前記コピー残回数の値を０（ゼロ）にすることを特徴とする請求項３記載の番組録画装置。
【請求項５】
前記番組蓄積手段に蓄積された番組を前記宅外機器にコピーした場合に、コピー終了時点からの経過時間をコピーされた番組の前記番組識別情報とともに管理するコピー時刻管理手段をさらに備え、
前記コピー制御手段は、さらに、前記コピー終了時点からの経過時間を基にして、前記コピー終了時点から予め定めた一定時間が経過する毎に、前記第二コピー情報管理手段において管理されている前記コピーされた番組の前記コピー残回数の値を予め定めた値だけ順次増加させていく、あるいは前記ダビング終了時点から予め定めた一定時間が経過すると前記第二コピー情報管理手段において管理されている前記コピーされた番組の前記コピー残回数の値を無制限にすることを特徴とする請求項３記載の番組録画装置。
【発明の詳細な説明】
【技術分野】
【０００１】
本発明は、デジタル放送番組を録画する番組録画装置に関するものであり、特に、ダビング１０方式のような複数回のコピーが可能な方式に対応している番組を録画してダビング（コピー）する番組録画装置に関する。
【背景技術】
【０００２】
現在、日本のデジタル放送の録画に関しては、不正な複製物が生成されないように１回だけコピーが可能な方式、いわゆるコピーワンス方式が採用されているが、このコピーワンス方式では、例えば、録画装置において、ハードディスクに番組（コンテンツ）を録画した後にその録画した番組をリムーバブルメディアにコピーしようとすると、リムーバブルメディアにコピーした後は、ハードディスク内に録画され蓄積された番組は視聴できないようになっている。
【０００３】
このため、コピーワンス方式では、ハードディスクに番組を録画した後にリムーバブルメディアへのコピーに失敗すると番組が視聴できなくなってしまうといったような課題があり、ユーザからの改善要求もあって、９回までのコピーと１回の移動が可能な方式、いわゆるダビング１０方式の採用が検討されている。
【０００４】
ダビング１０方式が採用されると、ユーザは１つの番組を複数の機器（録画装置）に録画することが可能となるが、ユーザに番組を提供する放送局や著作権者としては、コピーはあくまでも家族で楽しむためのものであるとの思いを持っており、それを逸脱する可能性のある宅外機器へのコンテンツの配信／録画を好ましく思っていない。
【０００５】
以上のような状況の中で、著作権保護を図りつつ宅外機器へのコンテンツの配信／録画を実現する方法として、登録された宅外機器にのみコンテンツの配信／録画を許可する方法が検討されている。
【０００６】
このような方法の一つとして、著作権保護を図る必要のあるコンテンツの不正コピーや不正取得を防止しつつ、正規のユーザに対して宅外でもコンテンツを利用できる機会を与えることができる技術が特許文献１に開示されている。
【０００７】
次に、特許文献１に開示されている、著作権保護を図りつつ宅外機器へコンテンツを配信する従来の方法について説明する。
【０００８】
図１０は従来の宅外機器へのコンテンツ配信システムの構成を示すブロック図である。
【０００９】
図１０において、宅外機器へのコンテンツ配信システムは、ユーザ宅内に設置された送信装置Ｔ（図示せず）、ホームネットワークおよび宅外ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）ブリッジ１０００、およびユーザ宅にインターネットを介して接続される宅外の受信装置Ｒ（図示せず）とで構成されている。ホームネットワークおよび宅外ＤＴＣＰブリッジ１０００は、宅内ネットワークインターフェース（以下、Ｉ／Ｆと略す）部１０１１、ＤＴＣＰ関連パケットフィルタ１０１２および１０１３、ＤＴＣＰ処理部１０１４、ホームルータ及びファイアウォール処理部１０１５、および宅外ネットワークＩ／Ｆ部１０１６を有する。
【００１０】
このように構成された宅外機器へのコンテンツ配信システムの具体的な処理動作についての説明はここでは省略するが、著作権保護を図りつつ宅外機器へコンテンツを配信する方法の要点について以下に説明する。
【００１１】
ＤＴＣＰには、同時に通信できる装置の数（あるいは、同一ＡＶストリームを同時にやり取りできる装置の数）を、一定以下の数に制限する仕組みであるシンクリミテーションと呼ばれる仕組みが定義されているが、ホームネットワーク及び宅外ＤＴＣＰブリッジ１０００は、シンクリミテーションの仕組みをさらに強化し、以下に示す（１）〜（４）の特徴を持っている。
【００１２】
（１）宅外側からアクセスさせるデバイス（例えば、受信装置Ｒ）を予め宅外デバイス登録テーブル１０２５に登録しておき、この登録テーブルに登録されたデバイス以外からの通信（認証鍵交換の申し込み）を拒否する。
【００１３】
（２）宅外デバイス登録テーブル１０２５に登録できるデバイス数を一定以下に制限する。つまり、テーブルの大きさに上限を設ける。
【００１４】
（３）一度登録したデバイスは、永久的に宅外デバイス登録テーブル１０２５に登録される。たとえ電源がオフにされたり、電力供給がカットされたとしても登録は消えない。
【００１５】
（４）宅外デバイス登録テーブル１０２５への登録は、宅内からのみ行えるようにする。
【００１６】
このように、ユーザ宅内に設置される宅外ＤＴＣＰブリッジ１０００に宅外デバイス登録テーブル１０２５を設け、この登録テーブルに予め登録された受信装置（例えば、受信装置Ｒ）のみに、ユーザ宅内からのコンテンツ送信を許可するようにすることにより、著作権保護を図る必要のあるコンテンツの不正コピーや不正取得を防止しつつ、正規のユーザに対して宅外でもコンテンツを利用できる機会を与えることができるようにしている。
【特許文献１】特開２００４−１８００２０号公報
【発明の開示】
【発明が解決しようとする課題】
【００１７】
しかしながら、特許文献１に開示されている従来のコンテンツ配信システムでは、予め登録された宅外機器にしかコンテンツの配信ができないので、一定の著作権保護の仕組みを実現することができるが、宅外機器の登録はユーザ側で行う仕組みになっているので、特に、ダビング１０方式に対応しているコンテンツに関しては、ユーザの意思によって、最大１０コンテンツまで自由に宅外へ配信できてしまうことから、ダビング１０方式のような複数回のコピーが可能な方式において意図されている著作権保護が十分に図れないという問題があった。
【００１８】
本発明は、このような課題を解決するもので、宅外機器への配信／録画回数を限定することで不正なコンテンツの配信／録画を抑制することができ、且つ、ダビング１０方式のような複数回のコピーが可能な方式におけるユーザの利便性を確保することができる番組録画装置を提供することを目的とする。
【課題を解決するための手段】
【００１９】
上記目的を達成するために、本願の第１の発明の番組録画装置は、放送局から配信された複数回のコピーが可能な方式に対応した番組を蓄積し、前記番組をネットワークに接続された他の機器あるいはメディアにコピーすることが可能な番組録画装置であって、放送局から配信された前記番組を蓄積する番組蓄積手段と、前記番組を前記他の機器あるいはメディアにコピーした回数に関する情報であるコピー情報に相当するコピー残回数（残っているコピー可能な回数）と、前記番組を一意に規定できる番組識別情報とをペアーにして管理し、前記番組を前記他の機器あるいはメディアにコピーすることが可能か否かを判定する第一コピー情報管理手段と、前記番組のコピー先が前記ネットワークを介して宅外ネットワークに接続された機器である宅外機器か、前記ネットワークを介して接続された、前記宅外機器以外の機器である宅内機器か、またはメディアであるかを判定するコピー先情報管理手段と、前記番組蓄積手段に蓄積された前記番組を前記他の機器あるいはメディアにコピーする際に、前記コピー先情報管理手段が管理している前記コピー残回数の値が予め定められた値以上である場合にのみ、前記番組を前記宅外機器にコピーするとともに、前記コピー残回数を０（ゼロ）とするように制御するコピー制御手段と、を備えることを特徴とするものである。
【００２０】
また、本願の第２の発明の番組録画装置は、本願の第１の発明の番組録画装置において、前記コピー制御手段は、前記番組を前記宅外機器にコピーした場合に、前記第一コピー情報管理手段において管理している前記コピー残回数の値を維持もしくは少なくとも１減じることで、前記宅内機器へのコピーを前記コピー残回数に基づいて認めるとともに、前記宅外機器には以降のコピーを認めないように制御することを特徴とするものである。
【００２１】
また、本願の第３の発明の番組録画装置は、放送局から配信された複数回のコピーが可能な方式に対応した番組を蓄積し、前記番組をネットワークに接続された他の機器あるいはメディアにコピーすることが可能な番組録画装置であって、放送局から配信された前記番組を蓄積する番組蓄積手段と、前記番組を前記他の機器あるいはメディアにコピーした回数に関する情報であるコピー情報に相当するコピー残回数（残っているコピー可能な回数）と、前記番組を一意に規定できる番組識別情報とをペアーにして管理し、前記番組を前記他の機器あるいはメディアにコピーすることが可能か否かを判定する第一コピー情報管理手段と、前記番組のコピー先が前記ネットワークを介して宅外ネットワークに接続された機器である宅外機器か、前記ネットワークを介して接続された、前記宅外機器以外の機器である宅内機器か、または前記メディアであるかを判定するとともに、前記番組のコピー先が前記宅外機器の場合には、前記宅外機器にコピーした番組にコンテンツＩＤ（ＩＤｅｎｔｉｆｉｃａｔｉｏｎ）を付与するコピー先情報管理手段と、前記第一コピー情報管理手段から受け取った前記コピー情報と前記番組識別情報とのペアーの情報、および前記コピー先情報管理手段から受け取った前記宅外機器にコピーした番組の前記コンテンツＩＤと前記番組識別情報とのペアーの情報とを管理する第二コピー情報管理手段と、前記他の機器あるいはメディアである外部機器からの読み込み機能のみを有し、前記外部機器と前記ネットワークなどを介さず直接接続を行う外部機器接続手段と、前記番組蓄積手段に蓄積された前記番組を前記他の機器あるいはメディアにコピーする際に、前記コピー先情報管理手段が前記番組のコピー先が前記宅外機器であると判定した場合には、前記第一コピー情報管理手段が管理している前記コピー残回数の値が予め定められた値以上である場合にのみ、前記番組を前記宅外機器にコピーするとともに、前記第一コピー情報管理手段が管理している前記コピー残回数の値と前記番組識別情報をペアーにして前記第二コピー情報管理手段に移動させた後前記コピー残回数の値を０（ゼロ）にし、前記外部機器接続手段または前記ネットワークを介して接続された前記宅外機器または前記宅外機器以外の前記宅内機器または前記メディアなどからの入力コンテンツが有する前記コンテンツＩＤが、前記コピー先情報管理手段で管理されている前記コンテンツＩＤと一致し、かつ、前記コンテンツＩＤが一致した番組が前記宅外機器において削除または使用不能な状態になったことを確認した後、前記第二コピー情報管理手段において管理されていた前記コンテンツＩＤが一致した番組の前記コピー残回数の値と前記番組識別情報とのペアー情報を、元のまま、あるいは前記コピー残回数の値を元の値から少なくとも１減じた値にして前記第一コピー情報管理手段に戻すとともに、前記第二コピー情報管理手段において管理していた前記コンテンツＩＤが一致した番組の前記コピー残回数の値と前記番組識別情報のペアー情報を削除するように制御するコピー制御手段と、を備えたことを特徴とするものである。
【００２２】
また、本願の第４の発明の番組録画装置は、本願の第３の発明の番組録画装置において、前記番組蓄積手段に蓄積された番組を前記宅外機器にコピーした場合に、コピー終了時点からの経過時間をコピーされた番組の前記番組識別情報とともに管理するコピー時刻管理手段をさらに備え、前記コピー制御手段は、さらに、前記コピー終了時点からの経過時間を基にして、前記コピー終了時点から予め定めた一定時間が経過する毎に、前記第二コピー情報管理手段において管理されている前記コピーされた番組の前記コピー残回数の値を予め定めた値だけ順次減じていく、あるいは前記ダビング終了時点から予め定めた一定時間が経過すると前記第二コピー情報管理手段において管理されている前記コピーされた番組の前記コピー残回数の値を０（ゼロ）にすることを特徴とするものである。
【００２３】
また、本願の第５の発明の番組録画装置は、本願の第３の発明の番組録画装置において、前記番組蓄積手段に蓄積された番組を前記宅外機器にコピーした場合に、コピー終了時点からの経過時間をコピーされた番組の前記番組識別情報とともに管理するコピー時刻管理手段をさらに備え、前記コピー制御手段は、さらに、前記コピー終了時点からの経過時間を基にして、前記コピー終了時点から予め定めた一定時間が経過する毎に、前記第二コピー情報管理手段において管理されている前記コピーされた番組の前記コピー残回数の値を予め定めた値だけ順次増加させていく、あるいは前記ダビング終了時点から予め定めた一定時間が経過すると前記第二コピー情報管理手段において管理されている前記コピーされた番組の前記コピー残回数の値を無制限にすることを特徴とするものである。
【発明の効果】
【００２４】
本発明の番組録画装置によれば、録画したダビング１０方式のような複数回のコピーが可能な方式に対応したコンテンツ（番組）を外部機器にコピーする際、コピー先の外部機器が宅外機器であることを確認したら、コピーを実行した後に、残りのコピー可能回数であるコピー残回数の如何にかかわらず、見かけ上コピー残回数を０（ゼロ）にすることで、該番組録画装置において宅外機器にコピーした番組を視聴することは可能であるが、他の外部機器へのコピーは不可となり、宅外機器への配信数に歯止めをかけることが可能となる。また、コピー残回数は見かけ上０にしただけで、実際のコピー残回数は別の場所に保存してあるので、配信した宅外機器から配信したコンテンツが削除あるいは使用不能状態に処理されたことを確認した場合には、コピー残回数を元に戻し復活させることが可能となり、著作権保護を図りながらダビング１０方式のような複数回のコピーが可能な方式の利便性を活かしたコンテンツコピーの仕組みを提供することが可能となる。
【発明を実施するための最良の形態】
【００２５】
以下に、本発明を実施するための最良の形態について、図面を参照しながら説明する。
【００２６】
（実施の形態１）
図１は、本発明の実施の形態１に係る番組録画装置の構成を示すブロック図であり、併せて、本発明の実施の形態１に係る番組録画装置と関連する外部装置や外部機器との接続関係を示す図である。
【００２７】
図１を用いて、まず、宅外機器へ番組のダビング（コピー）を行う際に、コピー残回数を０（ゼロ）にする場合に関して説明する。
【００２８】
図１において、番組録画装置２００は、放送局の番組配信装置１００から送信される番組に関して、ユーザがリモコン（図示せず）などの入力手段を用いて録画処理を選択した場合、ユーザにより録画処理を選択された番組の画像データなどを受信手段２０１で受信し、受信手段２０１で受信された番組の画像データなどを番組処理手段２０２においてデコード処理などの処理を行った後、番組蓄積手段２０３に当該番組を蓄積する。
【００２９】
このような番組の蓄積処理と併せて、第一コピー情報管理手段２０５には、番組蓄積手段２０３に蓄積した番組を一意に規定できるＩＤ（ＩＤｅｎｔｉｆｉｃａｔｉｏｎ）、すなわち、社団法人電波産業会（以下、ＡＲＩＢと称す）で規定されているＮｅｔｗｏｒｋＩＤ、ＴＳ（Ｔｒａｎｓｐｏｒｔ  Ｓｔｒｅａｍ）ＩＤおよびＳｅｒｖｉｃｅＩＤなどの番組識別情報と、その番組識別情報を有する番組に関するコピー情報をペアーにして記憶する。ここで言うコピー情報とは、ＡＲＩＢで規定された、ＭＰＥＧ２  Ｔｒａｎｓｐｏｒｔ  Ｓｔｒｅａｍ（以下、ＴＳと称す）の番組マップ情報（以下、ＰＭＴ（Ｐｒｏｇｒａｍ  Ｍａｐ  Ｔａｂｌｅ）と称す）に記載されているデジタルコピー制御記述子を表す。
【００３０】
図２は、ＰＭＴの抜粋（イ）とデジタルコピー制御記述子の抜粋（ロ）を示したものである。
【００３１】
図２において、デジタルコピー制御記述子の多重箇所としては、ＰＭＴの第１ループ（図２の（Ａ））が一般的であるが、ＰＭＴの第２ループ（図２の（Ｂ））にも多重することが可能である。また、デジタルコピー制御記述子は、ＡＲＩＢで規定されているイベント情報テーブル（以下、ＥＩＴ（Ｅｖｅｎｔ  Ｉｎｆｏｒｍａｔｉｏｎ  Ｔａｂｌｅ）と称す）にも記載されているが、ここではＰＭＴを用いて説明する。
【００３２】
ここで、図３を用いて、通信手段２０４を通じて他の機器へ蓄積した番組のダビング（コピー）を行う場合の番組録画装置２００のコピー制御手段（図示せず）における処理の流れについて説明する。なお、図３は、本発明の実施の形態１に係る番組録画装置が蓄積した番組を他の機器へダビングを行う場合の処理の流れを示す図である。また、ここでは、番組録画装置２００のユーザがダビング処理を行う場合の動作について説明するが、他の機器から番組録画装置２００に対してダビング要求が送られてきた場合も同様の処理の流れとなるので、その場合の説明はここでは省略する。
【００３３】
図３において、番組録画装置２００のユーザが、リモコン（図示せず）などの入力手段を用いて、番組蓄積手段２０３に蓄積されている所望の番組のダビング処理を選択するとダビング処理が開始され（Ｓ３０１）、第一コピー情報管理手段２０５は、該所望の番組のコピー残回数を読み出して（Ｓ３０２）、コピー残回数が０（ゼロ）より大きいか否かをチェックする（Ｓ３０３）。例えば、ダビング１０方式対応のコンテンツで、ダビング済み回数が０であれば、コピー残回数は９であるので、この場合はコピー残回数が０より大きいと判断する。
【００３４】
ステップＳ３０３において、コピー残回数が０（ステップＳ３０３においてＮＯの場合）であれば、ダビングが不可であることを表す表示を、ＴＶ（表示せず）などの表示手段に表示してユーザに知らせ、処理を終了させる（Ｓ３０９）。
【００３５】
ステップＳ３０３において、コピー残回数が０でなく１以上（ステップＳ３０３においてＹＥＳの場合）であれば、コピー先情報管理手段２０６は、ユーザが選択したダビング先の機器を確認し（Ｓ３０４）、ダビング先の機器が宅外機器であるか否かを判断する（Ｓ３０５）。ここで、ダビング先の機器を確認するとは、図１に示す宅内ネットワーク３００内に存在する宅内機器４００か、宅内ネットワーク３００およびホームゲートウェイ４０１を介してインターネット等の宅外ネットワーク５００経由で接続されている宅外機器６００であるかを確認することである。
【００３６】
宅外機器であるか否かを確認する方法としては、ＤＴＣＰ−ＩＰ（Ｄｉｇｉｔａｌ  Ｔｒａｎｓｍｉｓｓｉｏｎ  Ｃｏｎｔｅｎｔ  Ｐｒｏｔｅｃｔｉｏｎ  ｏｖｅｒ  Ｉｎｔｅｒｎｅｔ  Ｐｒｏｔｏｃｏｌ）などで規定されている、ＩＰパケットの有効期間（ＩＰパケットが通過できるルータの残り数）を表すＴＴＬ（Ｔｉｍｅ  Ｔｏ  Ｌｉｖｅ）が一定数以下で到達するか否か、応答遅延時間を示すＲＴＴ（Ｒｏｕｎｄ  Ｔｒｉｐ  Ｔｉｍｅ）が一定時間以内で到達するか否か（ＤＴＣＰ−ＩＰでは、ＴＴＬが３以下、ＲＴＴが７ｍｓ以下）、あるいは、番組録画装置２００とダビング先の機器とのサブネットマスクが同一であるか否か、などを挙げることができるが、ここでは特に規定しない。
【００３７】
ユーザが選択したダビング先の機器が、宅内機器４００、または番組録画装置２００に搭載あるいは接続されたメディアなどであって、宅外機器でない場合（ステップＳ３０５においてＮＯの場合）は、通常のダビング１０方式における処理として、第一コピー情報管理手段２０５に記憶されているコピー残回数の値を１減じ（Ｓ３０７）、ダビング処理を開始する（Ｓ３０８）。
【００３８】
ダビング先の機器が宅外機器６００である場合（ステップＳ３０５においてＹＥＳの場
合）は、第一コピー情報管理手段２０５に記憶されているコピー残回数を０にして（Ｓ３０６）、これ以上他の機器にはダビングすることができないようにした後にダビング処理を開始し（Ｓ３０８）、ダビングが完了した時点でコピー先情報管理手段２０６は、コピー先機器である宅外機器６００に関する情報とコピーした番組に関する情報をペアーにして記憶した後、ダビング処理を終了する（Ｓ３０９）。
【００３９】
以上のように、ステップＳ３０５においてダビング先の機器が宅外機器であると判断され、宅外機器６００にユーザが所望の番組をダビングした場合、コピー先情報管理手段２０６は宅外機器６００にユーザが所望した番組をダビングしたことを記憶し、また、第一コピー情報管理手段２０５は記憶していたコピー残回数の値を０に更新するので、以降宅外機器６００を含む宅外機器および宅内機器には該番組のダビングを禁止することが可能になる。さらに、第一コピー情報管理手段２０５に記憶されているコピー残回数が、予め定めた回数以上の場合でないと宅外機器へのダビングを禁止するようにすることで、宅外機器への番組の配信／録画を抑制することも可能になる。
【００４０】
なお、本発明の実施の形態１においては、番組蓄積手段２０３に蓄積されたダビング１０方式に対応した番組を、通信手段２０４を介して宅外機器６００にコピーした場合、第一コピー情報管理手段２０５において記憶／管理しているコピー残回数の値を０にしたがこれに限るものではなく、例えば、第一コピー情報管理手段２０５において記憶しているコピー残回数の値を維持もしくは少なくとも１減じるように処理することで、宅内機器４００に対してはコピー残回数に基づいてコピーを認めるようにするとともに、宅外機器６００に対してのみ以降のコピーを認めないように処理するようにしてもよい。
【００４１】
また、本発明の実施の形態１においては、ダビング１０方式を例に挙げて説明したが、これに限るものではなく、ダビング１０方式のように複数回のコピーを可能とする方式であれば、同様の効果を発揮することは明らかである。なお、このことは、後述する本発明の実施の形態２および３においても同様である。
【００４２】
（実施の形態２）
図４は、本発明の実施の形態２に係る番組録画装置の構成を示すブロック図であり、併せて、本発明の実施の形態２に係る番組録画装置と関連する外部装置や外部機器との接続関係を示す図である。
【００４３】
図４に示す本発明の実施の形態２に係る番組録画装置７００は、図１に示す本発明の実施の形態１に係る番組録画装置２００が備える各構成要素（各構成手段）に加えて、第二コピー情報管理手段７０７および外部機器接続手段７０８を備えており、この二つの手段７０７および７０８以外の各構成手段は、番組録画装置２００が備える各構成手段とほぼ同じであるので同じ符号を付し、ここでは説明を省略する。
【００４４】
図４において、コピー先情報管理手段２０６は、本発明の実施の形態１に係る番組録画装置２００におけるコピー先情報管理手段２０６が備える機能に加え、番組蓄積手段２０３に蓄積された番組のコピー先が宅外機器６００の場合に、宅外機器６００にコピーした番組にコンテンツＩＤ（ＩＤｅｎｔｉｆｉｃａｔｉｏｎ）を付与する機能を有している。
【００４５】
また、第二コピー情報管理手段７０７は、第一コピー情報管理手段２０５から受け取ったコピー情報番組識別情報のペアーの情報、およびコピー先情報管理手段２０６から受け取った宅外機器６００にコピーした番組のコンテンツＩＤと番組識別情報のペアーの情報などを管理する。
【００４６】
さらに、外部機器接続手段７０８は、宅内機器４００や宅外機器６００を含む他の機器あるいはメディアなどの外部機器からのデータの読み込み機能のみを備えており、外部機器と宅内ネットワーク３００などを介さずに直接接続し、外部機器から送信される番組や情報を受信する手段である。
【００４７】
以下に、図４〜図７を参照しながら、録画した番組を宅外機器へダビングを行う際に、コピー残回数を見かけ上０にする場合に関して説明する。なお、図５は、本発明の実施の形態２に係る番組録画装置が蓄積した番組を他の機器へダビングを行う場合の処理の流れを示す図であり、また、図６は、ダビング先が宅内機器である場合の第一コピー情報管理手段および第二コピー情報管理手段における管理テーブルの一例を示す図であり、さらに、図７は、ダビング先が宅外機器である場合の第一コピー情報管理手段および第二コピー情報管理手段における管理テーブルの一例を示す図である。
【００４８】
図４において、番組録画装置７００がダビング１０方式に対応している番組を受信手段２０１で受信して番組処理手段２０２で処理した後番組蓄積手段２０３に蓄積し、番組蓄積手段２０３に蓄積された番組を他のメディアにダビングを行おうとするところまでは、本発明の実施の形態１の場合と同様であるため、ここでは説明を省略する。
【００４９】
図６において、ダビング前の第一コピー情報管理手段２０５は、第一コピー情報として管理テーブル（Ｉ−１）を、ダビング前の第二コピー情報管理手段７０７は、第二コピー情報として管理テーブル（II−１）を、ダビング後の第一コピー情報管理手段２０５は、管理テーブル（Ｉ−２）を、さらに、ダビング後の第二コピー情報管理手段７０７は管理テーブル（II−２）を保持するものとする。また、図７において、ダビング前の第一コピー情報管理手段２０５は管理テーブル（Ｉ−１）を、ダビング前の第二コピー情報管理手段７０７は管理テーブル（II−１）を、ダビング後の第一コピー情報管理手段２０５は管理テーブル（Ｉ−３）を、さらに、ダビング後の第二コピー情報管理手段７０７は管理テーブル（II−３）を保持するものとする。
【００５０】
次に、図５を用いて、番組録画装置７００のコピー制御手段（図示せず）における蓄積した番組を他の機器へダビングを行う場合の処理の流れを説明する。
【００５１】
図５において、番組録画装置７００のユーザがリモコンなどの入力手段（図示せず）を用いて、番組蓄積手段２０３に蓄積されている番組のダビング処理を選択すると（Ｓ５０１）、第一コピー情報管理手段２０５は、該番組のコピー残回数を読み出して（Ｓ５０２）、コピー残回数の値が０（ゼロ）より大きいか否かを確認する（Ｓ５０３）。例えば、ダビング１０方式対応のコンテンツでダビング済み回数が０であれば、コピー残回数の値は９であり、コピー残回数の値は０（ゼロ）より大きいということになる。
【００５２】
ステップＳ５０３において、コピー残回数の値が０の場合（ステップＳ５０３においてＮＯの場合）、ダビングが不可で有ることを表す表示をＴＶなどの表示手段（図示せず）に表示してユーザに知らせ、ダビング処理を終了する（Ｓ５１１）。ステップＳ５０３において、コピー残回数の値が０より大きい、すなわち、コピー残回数の値が１以上の場合（ステップＳ５０３においてＹＥＳの場合）、ユーザが選択したダビング先機器を確認し（Ｓ５０４）、ダビング先機器が宅外機器であるか否かを判断する（Ｓ５０５）。
【００５３】
なお、ここでのダビング先機器の確認／判断とは、ダビング先機器が宅内ネットワーク３００内に存在する宅内機器４００か、ホームゲートウェイ４０１を介してインターネット等の宅外ネットワーク５００経由で接続されている宅外機器６００であるかの確認／判断であり、宅外機器の確認方法としては、本発明の実施の形態１の場合と同様、特に規定しない。
【００５４】
ステップＳ５０５において、ダビング先機器が宅内機器４００や番組録画装置７００に搭載あるいは接続されたメディアなどであって宅外機器はない場合（ステップ５０５においてＮＯの場合）は、通常のダビング１０方式の処理として、第一コピー情報管理手段２０５に記憶されているコピー残回数の値を１減じ（Ｓ５０７）、ダビング処理を開始する（Ｓ５１０）。
【００５５】
ここで、図６を用いて、第一コピー情報管理手段２０５に記憶されているコピー残回数の値を１減じる場合のコピー情報の管理方法について説明する。
【００５６】
図６において、ダビング先機器が宅内機器４００であるので、通常のダビング１０方式に対応したコンテンツの処理と同様、第一コピー情報管理手段２０５の管理テーブル（Ｉ−１）に記憶されているコピー残回数の値９を、管理テーブル（Ｉ−２）にあるように１減じて８に変更して記憶／管理する。この場合、第二コピー情報管理手段７０７の管理テーブルは特に記述する必要はない。
【００５７】
ステップＳ５０５において、ダビング先機器が宅外機器６００である場合（ステップＳ５０５においてＹＥＳの場合）は、第一コピー情報管理手段２０５は、自身が記憶しているコピー残回数の値と番組識別情報をペアーにして第二コピー情報管理手段７０７に移動させ（Ｓ５０６）、第一コピー情報管理手段２０５に記憶されているコピー残回数の値を０にして（Ｓ５０８）、これ以上他の機器にはダビングできないようにするとともに、コピー先情報管理手段２０６は、ダビングした番組にコンテンツＩＤ（図７に示す例では０ｘａｂｃｄｅｆ）を付与し（Ｓ５０９）、この付与されたコンテンツＩＤと番組識別情報をペアーにして第二コピー情報管理手段７０７に送信する。このように、宅外機器６００にコピーするコンテンツを一意に識別できるようにしてからダビング処理を開始し（Ｓ５１０）、ダビングが終了した時点でダビング処理を終了させる（Ｓ５１１）。
【００５８】
ここで、図７を用いて、ダビング先機器が宅外機器６００である場合のコピー情報の管理方法について説明する。
【００５９】
図７において、ダビング先が宅外機器６００であるので、第一コピー情報管理手段２０５の管理テーブル（Ｉ−１）に記憶されているコピー残回数の値９を、管理テーブル（Ｉ−３）にあるように０（ゼロ）に変更して管理するとともに、第二コピー情報管理手段７０７の管理テーブル（II−３）のコピー残回数の値を９にする。
【００６０】
以上のように処理することにより、番組録画装置７００においては、宅外機器へのダビング処理が行われると、第一コピー情報管理手段２０５に保存されているコピー残回数の値は０となるので、見かけ上、コピー残回数の値は０となり、以降、他の機器へのダビングは不可となるが、実際のコピー残回数は、第二コピー情報管理手段７０７において保存されているコピー残回数として別途管理されている。
【００６１】
次に、図８を用いて、宅外機器６００にダビングされたコンテンツを削除あるいは使用不可の状態にする場合の、番組録画装置７００のコピー制御手段（図示せず）における処理の流れについて説明する。なお、図８は、本発明の実施の形態２に係る番組録画装置から宅外機器にダビングされたコンテンツを削除あるいは使用不可の状態にする場合の番組録画装置における処理の流れを示す図である。
【００６２】
図８において、番組録画装置７００における外部機器接続手段７０８に機器あるいはメディアが接続され、ユーザが番組録画装置７００に対してコンテンツの入力処理を行おうとすると（Ｓ８０１）、コピー先情報管理手段２０６は外部機器接続手段７０８に接続された機器あるいはメディアから入力されるコンテンツのコンテンツＩＤを読み出して確認し（Ｓ８０２）、同一コンテンツのＩＤが存在するか否かを判断する（Ｓ８０３）。
【００６３】
ステップＳ８０２において確認したコンテンツＩＤが、存在しない（コンテンツＩＤを所有していない）あるいは第二コピー情報管理手段７０７に保持されているコンテンツＩＤ（図７に示す０ｘａｂｃｄｅｆ）と一致しない場合（ステップＳ８０３においてＮＯの場合）は、そのまま入力処理を開始し（Ｓ８０７）、入力処理が終了した時点で処理を完了する（Ｓ８０８）。
【００６４】
ステップＳ８０２において読み出して確認したコンテンツＩＤが、第二コピー情報管理手段７０７に保持されているコンテンツＩＤ（図７に示す０ｘａｂｃｄｅｆ）と一致する場合（ステップＳ８０３においてＹＥＳの場合）は、番組録画装置７００は外部機器接続部７０８を介して宅外機器６００に対し当該コンテンの削除を指示し、宅外機器６００は番組録画装置７００からの指示に対応して当該コンテンツを消去あるいは利用不可の状態となるように処理する（Ｓ８０４）。
【００６５】
宅外機器６００において当該コンテンツが消去あるいは利用不可の状態となるように処理されたことを確認すると、番組録画装置７００におけるコピー先情報管理手段２０６は、第二コピー管理情報手段７０７から該当するコピー情報（図７の（II−３））、すなわち、番組識別情報（図７の（II−３）に示す０ｘｆｆｆａ−０ｘ０１０１）とコピー残回数（図７の（II−３）に示す９）を呼び出し（Ｓ８０５）、第一コピー情報管理手段２０５の管理テーブル（図７の（Ｉ−１））の該当するコピー情報を番組識別情報（図７に示す０ｘｆｆｆａ−０ｘ０１０１）から検索し、この番組識別情報を有する番組のコピー残回数の値を０から９に更新する（Ｓ８０６）。すなわち、第一コピー情報管理手段２０５における管理テーブルを、図７の（Ｉ−３）から図７の（Ｉ−１）の元の状態に戻す。このとき、第二コピー情報管理手段７０７の管理テーブル（図７の（II−３））もクリアして元の状態（図７の（II−１））に戻す。
【００６６】
このように、第一コピー情報管理手段２０５および第二コピー情報管理手段７０７の管理テーブルの復元を行った後、宅外機器６００にダビングされたコンテンツを削除あるいは使用不可の状態にする場合の処理を完了する（Ｓ８０８）。
【００６７】
なお、番組録画装置７００に宅外機器６００を接続した状態において、番組録画装置７００から宅外機器６００にコピーされたコンテンツを消去あるいは利用不可の状態となるように処理する方法、および宅外機器６００において当該コンテンツが消去あるいは利用不可の状態となるように処理されたことを確認する方法については種々考えられるが、その方法についてはここでは限定しない。
【００６８】
また、外部機器接続手段７０８に対して機器あるいはメディアを接続する場合の接続形態としては、宅外機器６００を直接接続する方法以外に、宅外機器６００に装着されていたリムーバブルメディア（図示せず）を挿入する方法や、宅外機器６００を宅内ネットワーク３００経由で接続する方法などが考えられる。宅外機器６００を宅内ネットワーク３００経由で接続させる場合は、外部機器接続手段７０８の機器接続に関する機能を通信手段２０４に代替させることが可能である。
【００６９】
また、図５に示すステップＳ５０５において、ダビング先機器が宅外機器６００である場合、第一コピー情報管理手段２０５は、宅外機器６００にコンテンツをダビングしたことを記憶し、以降、宅外機器６００を含む宅外機器にはダビングを禁止することや、第一コピー情報管理手段２０５に記憶されているコピー残回数が一定回数以上でないと宅外機器へのダビングを禁止することにより、宅外機器への配信に関する著作権保護を強化することが可能になる。
【００７０】
また、図８に示すステップＳ８０６において、第一コピー管理情報のコピー残回数の値を０から９に戻すときに、元の値（元のコピー回数の値：９）をコピーするのではなく、例えば、元のコピー回数の値から１減じてコピー回数の値を８に更新するようにすると、宅外機器６００へのコンテンツのダビングおよび削除を繰り返す度に、コピー残回数が減少していくので、さらに著作権保護の強化を図ることができる。
【００７１】
また、本発明の実施の形態２においては、図８のステップＳ８０４〜ステップＳ８０６に示すように、宅外機器６００のコンテンツを削除もしくは利用不可能になるように処理した後、第一コピー情報管理手段２０５および第二コピー情報管理手段７０７のコピー残回数を更新、すなわち元の状態に戻す例を示したが、第一コピー情報管理手段２０５および第二コピー情報管理手段７０７のコピー残回数を更新した後に、宅外機器６００のコンテンツを削除もしくは利用不可能になるように処理するようにしてもかまわない。
【００７２】
（実施の形態３）
図９は、本発明の実施の形態３に係る番組録画装置の構成を示すブロック図であり、併せて、本発明の実施の形態３に係る番組録画装置と関連する外部装置や外部機器との接続関係を示す図である。
【００７３】
図９に示す本発明の実施の形態３に係る番組録画装置９００は、図４に示す本発明の実施の形態２に係る番組録画装置７００が備える各構成要素（各構成手段）に加えて、コピー時刻情報管理手段９０９を備えており、このコピー時刻情報管理手段９０９以外の各構成手段は、番組録画装置７００が備える各構成手段と同じであるので同じ符号を付し、ここでは説明を省略する。また、番組録画装置９００におけるコピー制御手段（図示せず）は、番組録画装置７００におけるコピー制御手段（図示せず）が備える制御機能に加え、コピー時刻情報管理手段９０９に対応する制御機能を備えたものとなる。
【００７４】
図９において、コピー時刻情報管理手段９０９は、番組録画装置９００から宅外機器６００に対してコンテンツをコピー（ダビング）する場合、コピー終了時点からの経過時間を管理する。番組録画装置９００において、コピー時刻情報管理手段９０９が管理するコピー終了時点からの経過時間を基にして、コピー終了時点から予め定めた一定時間が経過する毎に、第二コピー情報管理手段７０７に保持しているコピー残回数の値を予め定めた値だけ順次減じていく、あるいはコピー終了時点から一定時間が経過すると第二コピー情報管理手段７０７に保持しているコピー残回数の値を０（ゼロ）にする。このように構成することにより、さらに著作権保護の強化を図ることができる。
【００７５】
なお、本発明の実施の形態３においては、コピー終了時点から一定時間が経過するとコピー残回数の値を減らす、あるいは０にすることで、著作権保護の強化を図る例を示したが、時間が経過するにつれてコンテンツの価値が低下することを考慮して、コピー時刻情報管理手段９０９が管理するダビング終了時点からの経過時間を基に、ダビング終了時点から一定時間が経過したと判断されたコンテンツ（番組）は、著作権保護の条件を緩和させるために、第一コピー情報管理手段２０５で管理されている番組のコピー残回数の値を増加させる、あるいはコピー無制限にするなどして、柔軟なコンテンツ配信を行うようにしてもよい。
【００７６】
また、本発明の実施の形態３においては、コピー時刻情報管理手段９０９は、番組録画装置９００から宅外機器６００に対してコンテンツをコピーする場合、コピー終了時点からの経過時間を管理するとしたが、コピー開始時点からの経過時間を管理し、このコピー開始時点からの経過時間を基に処理をしてもかまわない。
【産業上の利用可能性】
【００７７】
本発明に係る番組録画装置は、デジタルＴＶ放送において採用が検討されているダビング１０方式のような複数回のコピーが可能な方式に対応した番組を録画し、その録画した番組を外部機器にコピーする際、外部機器が宅外機器であること、および、コピー残回数が宅外機器へのコピーが可能な回数以上であることが判別した場合は、該番組を宅外機器にコピーするとともに該番組を他の宅外機器にコピーできないようにすることができ、かつ、宅外機器にコピーした番組を削除あるいは使用不可の状態に処理したことが確認できると、コピー残回数に基づいて元のダビング１０方式のような複数回のコピーが可能な方式に対応した録画／コピー機能を活用することができるので、ダビング１０方式のような複数回のコピーが可能な方式において意図されている著作権保護が十分に図れ、且つ、ダビング１０方式のような複数回のコピーが可能な方式におけるユーザの利便性を確保しつつ、番組録画装置から宅外機器への配信を可能にするサービスを提供する場合に有用である。
【図面の簡単な説明】
【００７８】
【図１】本発明の実施の形態１に係る番組録画装置の構成を示すブロック図であり、併せて、本発明の実施の形態１に係る番組録画装置と関連する外部装置や外部機器との接続関係を示す図
【図２】ＰＭＴの抜粋およびデジタルコピー制御記述子の抜粋を示す図
【図３】本発明の実施の形態１に係る番組録画装置が蓄積した番組を他の機器へダビングを行う場合の処理の流れを示す図
【図４】本発明の実施の形態２に係る番組録画装置の構成を示すブロック図であり、併せて、本発明の実施の形態２に係る番組録画装置と関連する外部装置や外部機器との接続関係を示す図
【図５】本発明の実施の形態２に係る番組録画装置が蓄積した番組を他の機器へダビングを行う場合の処理の流れを示す図
【図６】ダビング先が宅内機器である場合の第一コピー情報管理手段および第二コピー情報管理手段における管理テーブルの一例を示す図
【図７】ダビング先が宅外機器である場合の第一コピー情報管理手段および第二コピー情報管理手段における管理テーブルの一例を示す図
【図８】本発明の実施の形態２に係る番組録画装置から宅外機器にダビングされたコンテンツを削除あるいは使用不可の状態にする場合の番組録画装置における処理の流れを示す図
【図９】本発明の実施の形態３に係る番組録画装置の構成を示すブロック図であり、併せて、本発明の実施の形態３に係る番組録画装置と関連する外部装置や外部機器との接続関係を示す図
【図１０】従来の宅外機器へのコンテンツ配信システムの構成を示すブロック図
【符号の説明】
【００７９】
１００  （放送局）番組配信装置
２００  番組録画装置
２０１  受信手段
２０２  番組処理手段
２０３  番組蓄積手段
２０４  通信手段
２０５  第一コピー情報管理手段
２０６  コピー先情報管理手段
３００  宅内ネットワーク
４００  宅内機器
４０１  ホームゲートウェイ
５００  宅外ネットワーク
６００  宅外機器
７００  番組録画装置
７０７  第二コピー情報管理手段
７０８  外部機器接続手段
９００  番組録画装置
９０９  コピー時刻情報管理手段
１０００  宅外ＤＴＣＰブリッジ
１０１１  宅内ネットワークＩ／Ｆ部
１０１２  ＤＴＣＰ関連パケットフィルタ
１０１３  ＤＴＣＰ関連パケットフィルタ（詳細）
１０１４  ＤＴＣＰ処理部
１０１５  ホームルータ及びファイアウォール処理部
１０１６  宅外ネットワークＩ／Ｆ部
１０２１  ＤＴＣＰブリッジ処理部
１０２２  自動構成認識及び家電制御用Ｗｅｂサーバ処理部
１０２３  宅内側ＤＴＣＰ  ＡＫＥ処理部
１０２４  宅外側ＤＴＣＰ  ＡＫＥ処理部
１０２５  宅外デバイス登録テーブル
１０２６  ユーザ認証登録テーブル
【図１】
2009295213.tif 000003
【図２】
2009295213.tif 000004
【図３】
2009295213.tif 000005
【図４】
2009295213.tif 000006
【図５】
2009295213.tif 000007
【図６】
2009295213.tif 000008
【図７】
2009295213.tif 000009
【図８】
2009295213.tif 000010
【図９】
2009295213.tif 000011
【図１０】
2009295213.tif 000012